【手続補正書】
【提出日】平成19年3月5日(2007.3.5)
【手続補正１】
【補正対象書類名】明細書
【補正対象項目名】発明の名称
【補正方法】変更
【補正の内容】
【発明の名称】情報信号処理装置及び情報信号処理方法及び情報信号記録装置及び情報信号記録方法
【手続補正２】
【補正対象書類名】明細書
【補正対象項目名】特許請求の範囲
【補正方法】変更
【補正の内容】
【特許請求の範囲】
【請求項１】
所定の第１の情報信号を受信または再生する第１の情報信号再生手段と、
上記第１の情報信号の属性情報を含んだ第２の情報信号を受信し、検出または再生する第２の情報信号再生手段と、
上記第２の情報信号再生手段の受信または再生信号に応じて、上記第１の情報信号再生手段から上記第１の情報信号における所定の特性を検出する特性検出手段と、
を備えたことを特徴とする情報信号処理装置。
【請求項２】
上記第１の情報信号は、映像または音声などの放送番組信号である請求項１に記載の情報信号処理装置。
【請求項３】
上記第２の情報信号は、放送番組における番組情報信号である請求項１に記載の情報信号処理装置。
【請求項４】
所定の第１の情報信号を受信または再生し、
上記第１の情報信号の属性情報を含んだ第２の情報信号を受信し、検出または再生し、
上記第２の情報信号の受信または再生信号に応じて、上記第１の情報信号における所定の特性を検出する
ことを特徴とする情報信号処理方法。
【請求項５】
少なくとも１以上の情報信号から構成される第１の情報信号を受信または再生する第１の情報信号再生手段と、
上記第１の情報信号の属性を含む第２の情報信号を受信し、検出または再生する第２の情報信号再生手段と、
上記第２の情報信号再生手段の受信または再生信号に応じて、上記第１の情報信号再生手段から上記第１の情報信号における所定の特性を検出する特性検出手段と、
上記特性検出手段からの検出信号と上記第２の情報信号再生手段からの信号に応じて上記第１の所定情報信号の再生を制御する再生制御手段と
を備えたことを特徴とする情報信号処理装置。
【請求項６】
上記第１の情報信号は、少なくとも音声信号または映像信号を含む放送番組であることを特徴とする請求項５に記載の情報信号処理装置。
【請求項７】
上記第１の情報信号の属性は、上記第１の情報信号の概要または内容または情報の分類を知りうる情報信号であることを特徴とする請求項５に記載の情報信号処理装置。
【請求項８】
上記特性は所定の類似性または所定時間内におけるクライマックスと思われる時点を検出する特性であることを特徴とする請求項５に記載の情報信号処理装置。
【請求項９】
上記再生制御手段は上記第１の情報信号における所定の類似性時点または所定時間内におけるクライマックスと思われる時点を再生することを特徴とする請求項５に記載の情報信号処理装置。
【請求項１０】
上記再生手段は、上記第２の情報信号により上記第１の情報信号が所定の信号である場合は、少なくとも所定の再生区間長を可変して再生することを特徴とする請求項５に記載の情報信号処理装置。
【請求項１１】
少なくとも１以上の情報信号から構成される第１の情報信号を受信または再生し、
上記第１の情報信号の属性を含む第２の情報信号を受信し、検出または再生し、
上記第２の情報信号の受信または再生信号に応じて、上記第１の情報信号における所定の特性を検出し、
上記特性検出信号と上記第２の情報信号に応じて上記第１の情報信号の再生を制御する
ことを特徴とする情報信号処理方法。
【請求項１２】
上記第１の情報信号は少なくとも音声信号または映像信号を含む放送番組であることを特徴とする請求項１１に記載の情報信号処理方法。
【請求項１３】
上記第１の情報信号の属性は、上記第１の情報信号の概要または内容または情報の分類を知りうる情報信号であることを特徴とする請求項１１に記載の情報信号処理方法。
【請求項１４】
上記特性は所定の類似性または所定時間内におけるクライマックスと思われる時点を検出する特性であることを特徴とする請求項１１に記載の情報信号処理方法。
【請求項１５】
上記再生制御は上記第１の情報信号における所定の類似性時点または所定時間内におけるクライマックスと思われる時点を再生することを特徴とする請求項１１に記載の情報信号処理方法。
【請求項１６】
上記再生手段は、上記第２の情報信号により上記第１の情報信号が所定の信号である場合は、少なくとも所定の再生区間長を可変して再生することを特徴とする請求項１１に記載の情報信号処理方法。
【請求項１７】
第１の情報信号の属性を含む第２の情報信号から第１の情報信号における所定の情報を検出する情報検出手段と、
上記情報検出手段からの検出信号に応じて上記第１の情報信号における所定の特性を検出する特性検出手段と、
上記特性検出手段からの検出信号と上記第２の情報信号に応じて所定の識別信号を生成する識別信号生成手段と、
上記第１の情報信号と上記識別信号とを所定の記録信号として所定の記録媒体に記録する記録手段と、
を備えたことを特徴とする情報信号記録装置。
【請求項１８】
上記第１の情報信号は、少なくとも音声信号または映像信号を含む放送番組であることを特徴とする請求項１７に記載の情報信号記録装置。
【請求項１９】
上記情報信号検出手段は、上記第１の情報信号の概要または内容または情報の分類を知りうる情報信号を検出することを特徴とする請求項１７に記載の情報信号記録装置。
【請求項２０】
上記特性は所定の類似性または所定時間内におけるクライマックスシーンと思われる時点を検出する特性であることを特徴とする請求項１７に記載の情報信号記録装置。
【請求項２１】
上記識別信号は上記第１の情報信号における所定の類似性時点または所定時間内におけるクライマックスと思われる時点を示すことを特徴とする請求項１７に記載の情報信号記録装置。
【請求項２２】
第１の情報信号の属性を含む第２の情報信号から第１の情報信号における所定の情報を検出し、
上記第２の情報信号から第１の情報信号における所定の情報を検出して得られた検出信号に応じて上記第１の情報信号における所定の特性を検出し、
上記第１の情報信号における所定の特性を検出して得られた検出信号と上記第２の情報信号に応じて所定の識別信号を生成し、
上記第１の情報信号と上記識別信号とを所定の記録信号として所定の記録媒体に記録することを特徴とする情報信号記録方法。
【手続補正３】
【補正対象書類名】明細書
【補正対象項目名】０００１
【補正方法】変更
【補正の内容】
【０００１】
【発明の属する技術分野】
本発明は、例えば、放送番組を磁気ディスクや磁気テープなどの情報信号記録媒体に記録し再生する際に、記録した放送番組の所望のシーンを適宜、再生する情報信号処理装置及び情報信号処理方法及び情報信号記録装置及び情報信号記録方法に関するものである。
【手続補正４】
【補正対象書類名】明細書
【補正対象項目名】００１１
【補正方法】変更
【補正の内容】
【００１１】
【課題を解決するための手段】
上記課題を解決するために、本発明に係る情報信号処理装置及び情報信号処理方法及び情報信号記録装置及び情報信号記録方法は次に示す構成にすることである。
【手続補正５】
【補正対象書類名】明細書
【補正対象項目名】００１２
【補正方法】変更
【補正の内容】
【００１２】
（１）所定の第１の情報信号を受信または再生する第１の情報信号再生手段と、上記第１の情報信号の属性情報を含んだ第２の情報信号を受信し、検出または再生する第２の情報信号再生手段と、上記第２の情報信号再生手段の受信または再生信号に応じて、上記第１の情報信号再生手段から上記第１の情報信号における所定の特性を検出する特性検出手段と、を備えたことを特徴とする情報信号処理装置。
（２）上記第１の情報信号は、映像または音声などの放送番組信号である（１）に記載の情報信号処理装置。
（３）上記第２の情報信号は、放送番組における番組情報信号である（１）に記載の情報信号処理装置。
（４）所定の第１の情報信号を受信または再生し、上記第１の情報信号の属性情報を含んだ第２の情報信号を受信し、検出または再生し、上記第２の情報信号の受信または再生信号に応じて、上記第１の情報信号における所定の特性を検出することを特徴とする情報信号処理方法。
【手続補正６】
【補正対象書類名】明細書
【補正対象項目名】００１３
【補正方法】変更
【補正の内容】
【００１３】
（５）少なくとも１以上の情報信号から構成される第１の情報信号を受信または再生する第１の情報信号再生手段と、上記第１の情報信号の属性を含む第２の情報信号を受信し、検出または再生する第２の情報信号再生手段と、上記第２の情報信号再生手段の受信または再生信号に応じて、上記第１の情報信号再生手段から上記第１の情報信号における所定の特性を検出する特性検出手段と、上記特性検出手段からの検出信号と上記第２の情報信号再生手段からの信号に応じて上記第１の所定情報信号の再生を制御する再生制御手段とを備えたことを特徴とする情報信号処理装置。
（６）上記第１の情報信号は、少なくとも音声信号または映像信号を含む放送番組であることを特徴とする（５）に記載の情報信号処理装置。
（７）上記第１の情報信号の属性は、上記第１の情報信号の概要または内容または情報の分類を知りうる情報信号であることを特徴とする（５）に記載の情報信号処理装置。
（８）上記特性は所定の類似性または所定時間内におけるクライマックスと思われる時点を検出する特性であることを特徴とする（５）に記載の情報信号処理装置。
（９）上記再生制御手段は上記第１の情報信号における所定の類似性時点または所定時間内におけるクライマックスと思われる時点を再生することを特徴とする（５）に記載の情報信号処理装置。
（１０）上記再生手段は、上記第２の情報信号により上記第１の情報信号が所定の信号である場合は、少なくとも所定の再生区間長を可変して再生することを特徴とする（５）に記載の情報信号処理装置。
【手続補正７】
【補正対象書類名】明細書
【補正対象項目名】００１４
【補正方法】変更
【補正の内容】
【００１４】
（１１）少なくとも１以上の情報信号から構成される第１の情報信号を受信または再生し、上記第１の情報信号の属性を含む第２の情報信号を受信し、検出または再生し、上記第２の情報信号の受信または再生信号に応じて、上記第１の情報信号における所定の特性を検出し、上記特性検出信号と上記第２の情報信号に応じて上記第１の情報信号の再生を制御することを特徴とする情報信号処理方法。
（１２）上記第１の情報信号は少なくとも音声信号または映像信号を含む放送番組であることを特徴とする（１１）に記載の情報信号処理方法。
（１３）上記第１の情報信号の属性は、上記第１の情報信号の概要または内容または情報の分類を知りうる情報信号であることを特徴とする（１１）に記載の情報信号処理方法。
（１４）上記特性は所定の類似性または所定時間内におけるクライマックスと思われる時点を検出する特性であることを特徴とする（１１）に記載の情報信号処理方法。
（１５）上記再生制御は上記第１の情報信号における所定の類似性時点または所定時間内におけるクライマックスと思われる時点を再生することを特徴とする（１１）に記載の情報信号処理方法。
（１６）上記再生手段は、上記第２の情報信号により上記第１の情報信号が所定の信号である場合は、少なくとも所定の再生区間長を可変して再生することを特徴とする（１１）に記載の情報信号処理方法。
【手続補正８】
【補正対象書類名】明細書
【補正対象項目名】００１５
【補正方法】変更
【補正の内容】
【００１５】
（１７）第１の情報信号の属性を含む第２の情報信号から第１の情報信号における所定の情報を検出する情報検出手段と、上記情報検出手段からの検出信号に応じて上記第１の情報信号における所定の特性を検出する特性検出手段と、上記特性検出手段からの検出信号と上記第２の情報信号に応じて所定の識別信号を生成する識別信号生成手段と、上記第１の情報信号と上記識別信号とを所定の記録信号として所定の記録媒体に記録する記録手段と、を備えたことを特徴とする情報信号記録装置。
（１８）上記第１の情報信号は、少なくとも音声信号または映像信号を含む放送番組であることを特徴とする（１７）に記載の情報信号記録装置。
（１９）上記情報信号検出手段は、上記第１の情報信号の概要または内容または情報の分類を知りうる情報信号を検出することを特徴とする（１７）に記載の情報信号記録装置。
（２０）上記特性は所定の類似性または所定時間内におけるクライマックスシーンと思われる時点を検出する特性であることを特徴とする（１７）に記載の情報信号記録装置。
（２１）上記識別信号は上記第１の情報信号における所定の類似性時点または所定時間内におけるクライマックスと思われる時点を示すことを特徴とする（１７）に記載の情報信号記録装置。
（２２）第１の情報信号の属性を含む第２の情報信号から第１の情報信号における所定の情報を検出し、上記第２の情報信号から第１の情報信号における所定の情報を検出して得られた検出信号に応じて上記第１の情報信号における所定の特性を検出し、上記第１の情報信号における所定の特性を検出して得られた検出信号と上記第２の情報信号に応じて所定の識別信号を生成し、上記第１の情報信号と上記識別信号とを所定の記録信号として所定の記録媒体に記録することを特徴とする情報信号記録方法。
【手続補正９】
【補正対象書類名】明細書
【補正対象項目名】００１８
【補正方法】変更
【補正の内容】
【００１８】
【発明の実施の形態】
次に、本発明に係る情報信号処理装置及び情報信号処理方法及び情報信号記録方法を具現化できる情報信号記録装置の実施の形態について図面を参照して説明する。